(57)【要約】【課題】  本発明は、金属枠と天板を固定用部品等とシール材とによって固定する調理器における天板の固定装置に関するものである。【解決手段】  本発明の調理器における天板の固定装置は、天板を取り付ける金属枠と、前記金属枠に取り付けられた固定用部品と、前記金属枠の下面と天板の上端面との間で、前記天板の全周囲をシールするシール材とから構成されている。また、前記固定用部品は、上部水平部と、傾斜部と、折り返し部とから構成され、断面がほぼコ字状に成形されている。前記シール材が金属枠の下面に貼着された後、ほぼ断面コ字状に成形された固定用部品に前記天板が挿入保持される。【選択図】  図１
2005172250.tif 000002
【特許請求の範囲】
【請求項１】
調理器における天板を取り付けるための金属枠と；
前記天板の端部近傍における上面の一部に接する上部水平部と、
前記上部水平部に連設され、前記天板の下部に向かって傾斜したバネ性を有する傾斜部と、
前記傾斜部に連設されて先端部が前記天板の下部を支えるように折り返された折り返し部と、
から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする調理器における天板の固定装置。
【請求項２】
調理器における天板を取り付けるための金属枠と；
前記天板の端部近傍における上面の一部に接する上部水平部と、
前記上部水平部に連設され、下方に垂下されたバネ性を有する垂直部と、
前記垂直部に連設されて先端部が前記天板の下部を支えるように折り返された折り返し部と、
から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする調理器における天板の固定装置。
【請求項３】
調理器における天板を取り付けるために少なくとも側部と、前記側部に連設さされた上部とからなる金属枠と；
前記金属枠の上部に沿って取り付けられている取り付け部と、
前記取り付け部に連設され、下方に垂下された垂下部と、
前記垂下部に連設されて先端部が前記天板の下部を支えるように折り返された折り返し部と、
から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする調理器における天板の固定装置。
【請求項４】
調理器における天板を取り付けるための金属枠と；
前記天板の端部近傍における上面の一部に接する上部水平部と、
前記上部水平部に連設された垂直部と、
前記垂直部に連設された挟持底部と、
から構成され、前記金属枠の内部に少なくとも１箇所取り付けられた断面がほぼコ字状に成形された保持用部品と；
前記上部水平部の先端部と前記金属枠の下面との間で、前記天板における上端面の全周囲をシールするシール材と；
を少なくとも備えていることを特徴とする調理器における天板の固定装置。
【請求項５】
調理器における天板を取り付けるための金属枠と；
前記天板の端部近傍における上面の一部に接する上部水平部と、
前記上部水平部に連設されて下方に垂下された突起部と、
から構成され、前記金属枠の内部に少なくとも１箇所取り付けられた位置決め用部品と；
前記上部水平部の先端部と前記金属枠の下面との間で、前記天板における上端面の全周囲をシールするシール材と；
を少なくとも備えていることを特徴とする調理器における天板の固定装置。
【請求項６】
調理器における天板を取り付けるために少なくとも側部と、前記側部に連設さされた上部とからなる金属枠と；
前記金属枠の上部に沿って取り付けられている取り付け部と、
前記取り付け部に連設され、下方内側に垂下された垂下部と、
前記垂下部に連設されて先端部が前記天板の端部を押圧するように折り返された折り返し部と、
から構成され、前記金属枠の内部に少なくとも１箇所取り付けられた位置決め用部品と；
前記上部水平部の先端部と前記金属枠の下面との間で、前記天板における上端面の全周囲をシールするシール材と；
を少なくとも備えていることを特徴とする調理器における天板の固定装置。
【請求項７】
前記天板と前記金属枠との固定は、前記固定用部品のみ、あるいは前記固定用部品、前記保持用部品、前記位置決め用部品の組み合わせによることを特徴とする請求項１ないし請求項６のいずれか１項に記載された調理器における天板の固定装置。
【請求項８】
前記シール材は、独立発泡のシールテープからなることを特徴とする請求項１ないし請求項７のいずれか１項に記載された調理器における天板の固定装置。
【請求項９】
前記シール材は、前記金属枠の内側に予め一方の側に設けられている接着剤によって接着されていることを特徴とする請求項１ないし請求項８のいずれか１項に記載された調理器における天板の固定装置。
【発明の詳細な説明】
【技術分野】
【０００１】
本発明は、電磁誘導加熱調理器、電気調理器またはガス調理器等（以下、本明細書において、単に調理器と記載する）等の天板（加熱調理面）の固定または位置決めに関するものである。本発明は、特に、金属枠と天板を固定用部品あるいは位置決め用部品等とシール材とによって固定する調理器における天板の固定装置に関するものである。
【背景技術】
【０００２】
図７は従来例における調理器の天板と枠との固定装置を説明するための概略図である。図７において、調理器７１を構成する金属枠７３には、天板７２を載置する天板載置部７４がほぼＬ字状に成形されている。前記天板７２は、前記天板載置部７４に落とし込まれる。そして、前記天板載置部７４には、前記天板７２がはめ込まれた後、前記天板７２の端面の全周囲に沿ってシール材７５等が充填される。
【０００３】
図８は他の従来例における調理器の固定装置を説明するための概略図である。図８において、天板８２は、シール材８５を介して金属枠８３と押え用金具８４との間にはめ込まれる。また、前記押え用金具８４は、前記金属枠８３に溶接等によって取り付けられた取付け用金具８３１のネジ孔にネジ８４１をネジ込むことにより取り付けられる。天板８２は、前記金属枠８３、取付け用金具８３１、および押さえ用金具８４によって挟持された後、前記ネジ８４１を締めつけることにより取り付けられる。
【０００４】
さらに、調理器の固定装置としては、たとえば、特開２００３−１５１７３９号公報、特開平１１−２３７０５６号公報、特開平８−１３５９８６号公報等がある。
【０００５】
【特許文献１】特開２００３−１５１７３９号公報
【特許文献２】特開平１１−２３７０５６号公報
【特許文献３】特開平８−１３５９８６号公報
【発明の開示】
【発明が解決しようとする課題】
【０００６】
図７に示す従来例は、前記天板７２と前記金属枠７３との間に充填されたシール材７５が硬化するまで、前記天板７２を動かすことができず、完成までに多くの時間と、作業用の場所が必要であった。また、前記従来例は、シール材７５が硬化した後、外観上問題がないように仕上げる必要があった。
【０００７】
天板７２と金属枠７３との間に充填されているシール材７５が硬化した後、前記天板７２の破損等の不具合があり、前記天板７２を取り替える必要が出た場合、図７に示す従来例は、前記シール材７５をカッターで切り取り、前記シール材５５をきれいに除去した後に、前記天板７２を取り外す。また、前記従来例は、その後、新規な天板を前記シール材７５で固定するといった作業が必要であった。さらに、ユーザは、前記天板７２が使用により破損したような場合、前記シール材７５の除去、前記天板７２の取り付け、前記シール材７５の充填等の作業を行うのは簡単ではない。
【０００８】
図８に示す従来例は、押え用金具８４にネジ８４１をネジ込むことにより、天板８２を取り付けているため、作業時間がかかるという問題を有した。また、前記天板８２の取り付け作業は、天板８２がずれないための治具等が必要である。前記従来例においても、作業者は、シール材８８の切り取り、天板８２の取り外し、付着したシール材８５の除去、新規天板８２の位置決め、および取り付け等の手間が多くかかり、ユーザに多大な負担を負わせることになる。
【課題を解決するための手段】
【０００９】
（第１発明）
第１発明の調理器における天板の固定装置は、
調理器における天板を取り付けるための金属枠と；
前記天板の端部近傍における上面の一部に接する上部水平部と、前記上部水平部に連設され、前記天板の下部に向かって傾斜したバネ性を有する傾斜部と、前記傾斜部に連設されて先端部が前記天板の下部を支えるように折り返された折り返し部と、から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする。
【００１０】
（第２発明）
第２発明の調理器における天板の固定装置は、
調理器における天板を取り付けるための金属枠と；
前記天板の端部近傍における上面の一部に接する上部水平部と、前記上部水平部に連設され、下方に垂下されたバネ性を有する垂直部と、前記垂直部に連設されて先端部が前記天板の下部を支えるように折り返された折り返し部と、から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする。
【００１１】
（第３発明）
第３発明の調理器における天板の固定装置は、
調理器における天板を取り付けるために少なくとも側部と、前記側部に連設さされた上部とからなる金属枠と；
前記金属枠の上部に沿って取り付けられている取り付け部と、前記取り付け部に連設され、下方に垂下された垂下部と、前記垂下部に連設されて先端部が前記天板の下部を支えるように折り返された折り返し部と、から構成され、前記金属枠の内部の複数箇所に取り付けられた断面がほぼコ字状に成形された固定用部品と；
前記上部水平部の先端部と前記金属枠の下面との間で、前記天板における上端面の全周囲をシールするシール材と；
を少なくとも備えていることを特徴とする。
【００１２】
（第４発明）
第４発明の調理器における天板の固定装置は、
調理器における天板を取り付けるための金属枠と；
前記天板の端部近傍における上面の一部に接する上部水平部と、前記上部水平部に連設された垂直部と、前記垂直部に連設された挟持底部と、から構成され、前記金属枠の内部に少なくとも１箇所取り付けられた断面がほぼコ字状に成形された保持用部品と；
前記上部水平部の先端部と前記金属枠の下面との間で、前記天板における上端面の全周囲をシールするシール材と；
を少なくとも備えていることを特徴とする。
【００１３】
（第５発明）
第５発明の調理器における天板の固定装置は、
調理器における天板を取り付けるための金属枠と；
前記天板の端部近傍における上面の一部に接する上部水平部と、前記上部水平部に連設されて下方に垂下された突起部と、から構成され、前記金属枠の内部に少なくとも１箇所取り付けられた位置決め用部品と；
前記上部水平部の先端部と前記金属枠の下面との間で、前記天板における上端面の全周囲をシールするシール材と；
を少なくとも備えていることを特徴とする。
【００１４】
（第６発明）
第６発明の調理器における天板の固定装置は、
調理器における天板を取り付けるために少なくとも側部と、前記側部に連設さされた上部とからなる金属枠と；
前記金属枠の上部に沿って取り付けられている取り付け部と、前記取り付け部に連設され、下方内側に垂下された垂下部と、前記垂下部に連設されて先端部が前記天板の端部を押圧するように折り返された折り返し部と、から構成され、前記金属枠の内部に少なくとも１箇所取り付けられた位置決め用部品と；
前記上部水平部の先端部と前記金属枠の下面との間で、前記天板における上端面の全周囲をシールするシール材と；
を少なくとも備えていることを特徴とする。
【００１５】
（第７発明）
第７発明の調理器における天板の固定装置において、天板と金属枠との固定は、前記固定用部品のみ、あるいは前記固定用部品、前記保持用部品、前記位置決め用部品の組み合わせによることを特徴とする。
【００１６】
（第８発明）
第８発明の調理器における天板の固定装置において、シール材は、独立または半独立発泡のシールテープからなることを特徴とする。
【００１７】
（第９発明）
第９発明の調理器における天板の固定装置において、シール材は、金属枠の内側に予め一方の側に設けられている接着剤によって接着されていることを特徴とする。
【発明の効果】
【００１８】
本発明によれば、バネ性を有するほぼ断面がコ字状の固定用部品等によって天板を固定するため、金属枠の内面にシール材を塗布した後、天板をはめ込むだけで、位置決めおよび固定が容易にできる。そのため、作業者は、シール材の硬化を待たずに次の作業に移ることができる。
【００１９】
本発明によれば、バネ性を有するほぼ断面がコ字状の固定用部品等で天板をはめ込むため、ネジ打ち等の作業が無くなり、組み立て時間が短縮できる。
【００２０】
本発明によれば、金属枠の内面に独立発泡のシールテープを貼った後、固定用部品等に天板をはめ込むだけで、天板を簡単に取り付けることができる。天板を取り替える場合、前記天板を外した後、新しい天板は、前記固定用部品等にはめ込むだけで、前記金属枠の内面に設けられた前記独立発泡のシールテープによって固定される。
【発明を実施するための最良の形態】
【００２１】
（第１発明）
第１発明の調理器における天板の固定装置は、天板を取り付ける金属枠と、前記金属枠に取り付けられた固定用部品と、前記金属枠の下面と天板の上端面との間で、前記天板の全周囲をシールするシール材とから構成されている。また、前記固定用部品は、上部水平部と、傾斜部と、折り返し部とから構成され、断面がほぼコ字状に成形されている。
【００２２】
前記上部水平部は、前記天板の端部における上面の一部が接している。前記傾斜部は、前記上部水平部に連設され、前記天板の下方内側に傾斜してバネ性を持たせている。前記折り返し部は、前記傾斜部に連設されて先端部が前記天板の下部を支えるように折り返されている。
【００２３】
前記シール材が金属枠の下面に貼着された後、ほぼ断面コ字状に成形された固定用部品に前記天板が挿入保持される。前記天板は、前記固定用部品に挿入する際に、その端部によって押すと、前記固定用部品の前記傾斜部がバネ性により反対側に押されることによって、挿入が容易になるとともに、天板の挿入後、前記バネ性によって前記天板の端部が押圧されて堅固に保持される。
【００２４】
前記シール材は、前記上部水平部の先端部と前記金属枠の下部との間において、天板における端面の全周囲をシールしている。前記構成は、ネジ等を使用しないため、単に天板をはめ込むだけの作業で済み、シール材の硬化を待つ必要もなく、次の作業に移ることができる。
【００２５】
（第２発明）
第２発明の調理器における天板の固定装置は、固定用部品の形状が異なる点で第１発明と異なっている。すなわち、第２発明の固定用部品は、前記上部水平部の下方に垂下された垂直部が連設されている。前記垂直部は、バネ性を持たせるとともに、位置決めも正確にできる。
【００２６】
（第３発明）
第３発明の調理器における天板の固定装置は、固定用部品の形状が異なる点で第１発明および第２発明と異なっている。すなわち、第３発明の固定用部品は、前記金属枠の上部で、たとえば、傾斜部分に沿って取り付け部が取り付けられている。前記取り付け部は、前記取り付け部に連設され、たとえば、下方でやや内側に垂下された垂下部と、前記垂下部に連設されて先端部が前記天板の下部を支えるように折り返された折り返し部とから構成されている。
【００２７】
また、前記固定用部品は、前記金属枠の内部の複数箇所に取り付けられた断面がほぼコ字状に成形されている。前記コ字状に成形されている先端部は、天板を弾性によって移動しないように保持することができる。
【００２８】
（第４発明）
第４発明の調理器における天板の固定装置は、保持用部品が上部水平部と、垂直部と、挟持底部とから構成されている点でのみ第１発明ないし第３発明と異なっている。前記上部水平部は、前記天板の端部における上面の一部が接している。前記垂直部は、前記上部水平部に対して垂直方向に連設されている。
【００２９】
前記挟持底部は、前記垂直部に対してほぼ水平方向に連設されて、前記天板を挟持するように保持する。前記保持用部品は、前記金属枠の内部に少なくとも１箇所取り付けられ、断面がほぼコ字状に成形されている。前記保持用部品は、前記挟持底部を長めにして、鍋等の調理用器具等の重さに耐えるようにしている。
【００３０】
（第５発明）
第５発明の調理器における天板の固定装置は、位置決め用部品が上部水平部と、前記上部水平部に連設されて下方に垂下された垂直部がある点で、第１発明ないし第４発明と異なっている。前記垂直部は、必要に応じて、バネ性を持たせることができ、前記上部水平部に連設されている。前記垂直部は、前記天板の端部を押圧することで前記天板の取り付け位置がきめられる。
【００３１】
（第６発明）
第６発明の調理器における天板の固定装置は、位置決め用部品の形状が異なる点で第１発明ないし第５発明と異なっている。すなわち、第６発明の位置決め用部品は、前記金属枠の上部で、たとえば、傾斜部分に沿って取り付け部が取り付けられている。前記取り付け部は、前記取り付け部に連設され、下方内側に垂下された垂下部と、前記垂下部に連設されて先端部が前記天板の端部を押圧するように折り返された折り返し部とから構成されている。
【００３２】
また、前記位置決め用部品は、前記金属枠の内部に少なくとも１箇所取り付けられているとともに、前記垂下された折り返し部のバネ性により、前記天板の位置決めを正確に行うことができる。
【００３３】
（第７発明）
第７発明の調理器における天板の固定装置は、前記天板と前記金属枠との固定を、前記固定用部品のみ、あるいは前記固定用部品、前記保持用部品、前記位置決め用部品の組み合わせによって行うことができる。すなわち、第７発明は、４辺を前記固定用部品によって固定する、１辺を前記保持用部品で他の３辺を前記固定用部品によって固定する、１辺を前記保持用部品で、他辺を位置決め用部品で、残りの２辺を前記固定用部品で固定する等、その他のバリエイションを持たせることができる。
【００３４】
（第８発明）
第８発明の調理器における天板の固定装置において、シール材は、独立または半独立発泡のシールテープからなる。前記シール材は、独立または半独立発泡であるため、調理器具からの煮こぼれ等の水分あるいは油分があっても、前記天板の下部に流れ込むことがない。
【００３５】
（第９発明）
第９発明の調理器における天板の固定装置において、シール材は、前記金属枠の内側に予め一方の側に設けられている接着剤によって接着されているため、作業性が良いだけでなく、シール材の硬化時間が不要であるため、作業時間を短縮することができる。また、第９発明は、前記天板の交換であっても、シール材の除去がほとんど不要であり、簡単に取り替えることが可能になった。
【実施例１】
【００３６】
図１は本発明の第一実施例で、天板を固定する固定用部品を説明するための概略図である。図１において、調理器１１における天板１２の固定装置は、天板１２を取り付ける金属枠１３と、前記金属枠１３に取り付けられた固定用部品１４と、前記金属枠１３と天板１２との間をシールするシール材１５とから構成されている。
【００３７】
また、前記固定用部品１４は、金属部材からなり、上部水平部１４１と、傾斜部１４２と、折り返し部１４３とから構成され、前記天板１２が挿入できるように断面がほぼコ字状に成形されている。前記上部水平部１４１は、前記天板１２を挿入した場合、前記天板１２の端部における上面の一部が接している。
【００３８】
前記傾斜部１４２は、前記上部水平部１４１に連設され、前記天板１２の内側に向かって傾斜してバネ性を持たせている。前記折り返し部１４３は、前記傾斜部１４２に連設されて先端部１４４が前記天板１２の下部を支えるように折り返されている。
【００３９】
前記ほぼ断面コ字状に成形された固定用部品１４は、前記天板１２がシール材１５とともに挿入保持される。前記天板１２は、前記固定用部品１４に挿入する際に、その端部によって押すと、前記固定用部品１４の前記傾斜部１４２がバネ性により反対側に押されることによって、挿入が容易になるとともに、天板１２の挿入後、前記バネ性によって前記天板１２の端部が押圧されて堅固に保持される。
【００４０】
前記シール材１５は、前記上部水平部１４１の先端部と前記金属枠１３の下面との間において、天板１２の端部近傍における上面の全周囲をシールしている。前記構成は、ネジ等を使用しないため、単に天板１２をはめ込むだけの作業で済み、シール材１５の硬化を待つ必要もなく、次の作業に移ることができる。
【実施例２】
【００４１】
図２は本発明の第二実施例で、天板を固定する固定用部品を説明するための概略図である。図２において、調理器における天板１２の固定装置は、固定用部品２４の形状が異なる点で第一実施例と異なっている。すなわち、第二実施例の固定用部品２４は、前記上部水平部２４１に下方に垂下された垂直部２４２が連設されている。
【００４２】
前記垂直部２４２は、折り返し部２４３が折り返されるように連設されて、その先端部２４４が前記天板１２の下部を支えるように折り返されている。前記垂直部２４２は、バネ性を持たせるとともに、位置決めも正確にできる。第二実施例の固定用部品２４は、第一実施例の変形である。
【実施例３】
【００４３】
図３は本発明の第三実施例で、天板を保持する保持用部品を説明するための概略図である。図３において、調理器における天板の固定装置は、保持用部品３４が上部水平部３４１と、垂直部３４２と、挟持底部３４３とから構成されている点でのみ第一実施例および第二実施例と異なっている。前記上部水平部３４１は、前記天板１２の端部における上面の一部が接している。前記垂直部３４２は、前記上部水平部３４１に対して垂直方向に連設されている。
【００４４】
前記挟持底部３４３は、前記垂直部３４２に対してほぼ水平方向に連設されて、前記天板１２を挟持するように保持する。前記保持用部品３４は、前記金属枠１３の内部に少なくとも１箇所取り付けられ、断面がほぼコ字状に成形されている。前記保持用部品３４は、前記挟持底部３４３を長めにして、鍋等の調理用器具等の重さに耐えるようにしている。前記挟持底部３４３は、天板１２を挿入し易いように一部に開口成形部３４４を設けることができる。
【実施例４】
【００４５】
図４は本発明の第四実施例で、天板を保持する位置決め用部品を説明するための概略図である。図４において、調理器における天板１２の固定装置は、位置決め用部品４４が上部水平部４４１と、前記上部水平部４４１に連設されて下方に垂下された垂直部４４２があり、前記垂直部４４２に連設された少し開いた突起部４４３がある点で、第一実施例ないし第三実施例と異なっている。
【００４６】
前記垂直部４４２および突起部４４３には、必要に応じて、バネ性を持たせることができる。前記垂直部４４２は、前記天板１２の端部を押圧することで前記天板１２の取り付け位置がきめられる。
【実施例５】
【００４７】
第五実施例は、シール材を独立または半独立発泡のシールテープ、あるいはシリコンシール剤とした点である。前記シール材は、独立発泡であるため、調理器具からの煮こぼれ等の水分あるいは油分があっても、前記天板１２の下部に流れ込むことがない。前記シール材は、前記金属枠の内側に予め一方の側に設けられている接着剤または粘着剤によって接着されているため、作業性が良いだけでなく、シール材の硬化時間が不要であるため、作業時間を短縮することができる。また、第五実施例は、前記天板１２の交換であっても、シール材の除去がほとんど不要であり、簡単に取り替えることが可能になった。
【実施例６】
【００４８】
図５は本発明の第六実施例で、天板を固定する固定用部品を説明するための概略図である。図５において、調理器における天板１２の固定用部品５４は、図５に示す金属枠１３における上部の傾斜部に沿って取り付け部５４１が、たとえば、溶接等によって取り付けられている。前記取り付け部５４１は、前記取り付け部５４１に連設され、たとえば、下方でやや内側に垂下された垂下部５４２と、前記垂下部５４２に連設されて先端部５４４が前記天板１２の下部を支えるように折り返された折り返し部５４３とから構成されている。
【００４９】
また、前記固定用部品５４は、前記金属枠１３の内部の複数箇所に取り付けられた断面がほぼコ字状に成形されている。前記コ字状に成形されている折り返し部５４３の先端部５４４は、天板１２を前記固定用部品５４の弾性によって移動しないように保持することができる。
【実施例７】
【００５０】
図６は本発明の第七実施例で、天板の位置を決める位置決め用部品を説明するための概略図である。図６において、位置決め用部品６１は、前記金属枠１３の上部で、傾斜した部分に沿って取り付け部６４１が、たとえば、溶接等によって取り付けられている。前記取り付け部６４１は、前記取り付け部５４１に連設され、下方内側に垂下された垂下部６４２と、前記垂下部６４２に連設されて先端部６４４が前記天板１２の端部を押圧するように折り返された折り返し部６４３とから構成されている。
【００５１】
また、前記位置決め用部品６１は、前記金属枠１３の内部に少なくとも１箇所取り付けられているとともに、前記垂下された折り返し部６４３のバネ性により、前記天板１２の位置決めを正確に行うことができる。
【産業上の利用可能性】
【００５２】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本発明の各実施例は、発明の主旨に沿ったものであれば、各部の寸法を任意に設計変更することができる。前記実施例は、単に調理器として説明したが、電磁誘導加熱調理器、ガス調理器、電気調理器等に適用できることはいうまでもないことである。
【００５３】
前記天板と前記金属枠との固定は、４辺を前記固定用部品のみによって固定する、１辺を前記保持用部品で他の３辺を前記固定用部品によって固定する、１辺を前記保持用部品で、他辺を位置決め用部品で、残りの２辺を前記固定用部品で固定する、２辺を前記位置決め用部品で、他の２辺を前記固定用部品で等、その他のバリエイションがある。
【図面の簡単な説明】
【００５４】
【図１】本発明の第一実施例で、天板を固定する固定用部品を説明するための概略図である。（実施例１）
【図２】本発明の第二実施例で、天板を固定する固定用部品を説明するための概略図である。（実施例２）
【図３】本発明の第三実施例で、天板を保持する保持用部品を説明するための概略図である。（実施例３）
【図４】本発明の第四実施例で、天板を保持する位置決め用部品を説明するための概略図である。（実施例４）
【図５】本発明の第六実施例で、天板を固定する固定用部品を説明するための概略図である。
【図６】本発明の第七実施例で、天板の位置を決める位置決め用部品を説明するための概略図である。
【図７】従来例における調理器の天板と枠との固定装置を説明するための概略図である。
【図８】他の従来例における調理器の固定装置を説明するための概略図である。
【符号の説明】
【００５５】
１１・・・調理器
１２・・・天板
１３・・・金属枠
１４・・・固定用部品
１４１・・・上部水平部
１４２・・・傾斜部
１４３・・・折り返し部
１４４・・・先端部
１５・・・シール材
２４・・・固定用部品
２４１・・・上部水平部
２４２・・・垂直部
２４３・・・折り返し部
２４４・・・先端部
３４・・・保持用部品
３４１・・・上部水平部
３４２・・・垂直部
３４３・・・挟持底部
３４４・・・開口成形部
４４・・・位置決め用部品
４４１・・・上部水平部
４４２・・・垂直部
４４３・・・突起部
５４・・・固定用部品
５４１・・・取り付け部
５４２・・・垂下部
５４３・・・折り返し部
５４４・・・先端部
６１・・・位置決め用部品
６４１・・・取り付け部
６４２・・・垂下部
６４３・・・折り返し部
６４４・・・先端部
【図１】
2005172250.tif 000003
【図２】
2005172250.tif 000004
【図３】
2005172250.tif 000005
【図４】
2005172250.tif 000006
【図５】
2005172250.tif 000007
【図６】
2005172250.tif 000008
【図７】
2005172250.tif 000009
【図８】
2005172250.tif 000010